(57)【要約】【課題】収納箱の外部から力が加えられて紙製仕切り部材に載置された収納物が破損することを防止する。【解決手段】収納物が収納される紙製収納箱本体２と、紙製収納箱本体２に設置され収納物が載置される載置部５を備えた紙製仕切り部材４とを備えた収納箱１において、紙製仕切り部材４は載置部５に接続され紙製収納箱本体２の底面に当接する弾性変形可能な紙製緩衝部である紙製脚１０を備えているので、紙製仕切り部材４に収納物が収納された状態で収納箱１に外部から力が加わった場合には、紙製脚１０が弾性変形して載置部５に載置された収納物に加えられる力を緩和して、収納物が破損することを防止することができる。【選択図】図７
2015174668.tif 000002
【特許請求の範囲】
【請求項１】
収納物が収納される有底箱形の収納空間を形成した紙製収納箱本体と、
前記紙製収納箱本体に設置され、収納物が載置される載置部を形成する紙製仕切り部材とを備えた収納箱であって、
前記紙製仕切り部材は、弾性変形可能な紙製の緩衝部を設けており、前記紙製仕切り部材が紙製緩衝部を介して前記収納空間の底面に当接することで、前記載置部に載置された収納物に緩衝作用を生じさせてなることを特徴とする収納容器。
【請求項２】
請求項１に記載の収納箱であって、
前記紙製仕切り部材は平板を折り曲げて一体に形成されており、
前記紙製緩衝部は、前記載置部の端部に形成された折曲部で弾性変形可能な紙製の脚を設けており、
前記紙製脚が前記収納空間の底面に当接することを特徴とする収納箱。
【請求項３】
請求項２に記載の収納箱であって、
前記紙製脚は、蛇腹状に連結された複数の脚部を設けており、
前記隣接する脚部を連結する連結部が弾性変形した状態で前記収納空間の底面に当接することを特徴とする収納箱。
【請求項４】
請求項２に記載の収納箱であって、
前記紙製脚は円弧状に折り曲げられて形成されていることを特徴とする収納箱。
【請求項５】
請求項２または４に記載の収納箱であって、
前記紙製脚は前記載置部の端部に形成された複数の脚部を設けており、
前記複数の脚部は先端部同士が接続されて、前記載置部と前記紙製脚とがリング状に連結されることを特徴とする収納箱
【請求項６】
請求項１〜５のいずれか一に記載の収納箱であって、
前記紙製収納箱本体には、前記紙製仕切り部材の前記載置部を保持する保持部が設けられていることを特徴とする収納箱。
【請求項７】
請求項６に記載の収納箱であって、
前記載置部の両側部には凸部が設けられており、
前記凸部が前記保持部に係合して、前記載置部が前記紙製収納箱本体に保持されることを特徴とする収納箱。
【請求項８】
請求項７に記載の収納箱であって、
前記凸部は前記保持部の上端に係合しており、
前記収納箱に外部から力が加わったとき、前記保持部に係合した前記凸部は、前記紙製緩衝部の弾性力に抗して前記保持部の上端から離れ、前記載置部とともにバウンド可能であることを特徴とする収納箱。
【請求項９】
請求項１〜８のいずれか一に記載の収納箱であって、
さらに、前記紙製収納箱本体の開口部を覆う蓋を備えることを特徴とする収納箱。
【発明の詳細な説明】
【技術分野】
【０００１】
本発明は、仕切り材を備えた収納箱の技術に関する。
【背景技術】
【０００２】
従来、贈答品として紙製の収納箱に菓子などの収納物を詰め合わせて店頭で販売することがある。収納箱には、紙製の仕切りが設けられており、収納物はこの仕切りで仕切られた所定の位置に載置された状態で収納箱に収納される。収納物が収納された収納箱は店頭に陳列するために輸送される。
【先行技術文献】
【特許文献】
【０００３】
【特許文献１】特開２００９−１０７６８６号公報
【発明の概要】
【発明が解決しようとする課題】
【０００４】
収納物が収納された紙製収納箱を店頭に陳列するために輸送するが、収納物がたとえばクッキーなどの焼き菓子の場合には、紙製収納箱に加えられた衝撃で、仕切りで仕切られて箱詰めされた収納物が破損することがある。
【０００５】
本発明は、従来のこのような問題点を解決するためになされたものであって、その目的は、収納箱の外部から力が加えられて紙製仕切り部材に載置された収納物が破損することを防止することができる紙製の収納箱を提供することである。
【課題を解決するための手段及び発明の効果】
【０００６】
上記目的を達成するために、本発明の一の紙製収納箱によれば、収納物が収納される有底箱形の収納空間を形成した紙製収納箱本体と、前記紙製収納箱本体に設置され、収納物が載置される載置部を形成する紙製仕切り部材とを備えた収納箱であって、前記紙製仕切り部材は、弾性変形可能な紙製の緩衝部を設けており、前記紙製仕切り部材が紙製緩衝部を介して前記収納空間の底面に当接することで、前記載置部に載置された収納物に緩衝作用を生じさせてなることを特徴とする。
【０００７】
上記構成によれば、紙製仕切り部材に収納物が収納された状態で収納箱に外部から力が加わった場合には、紙製緩衝部が弾性変形して、載置部に載置された収納物に加えられる力を緩和することができるので、収納物が破損することを防止することができる。特に、収納物がクッキーなどの焼き菓子の場合には、焼き菓子が欠けたり、割れたりすることを防止することができる。
【０００８】
また、前記紙製仕切り部材は平板を折り曲げて一体に形成されており、前記紙製緩衝部は、前記載置部の端部に形成された折曲部で弾性変形可能な紙製の脚を設けており、前記紙製脚が前記収納空間の底面に当接することを特徴とする。
【０００９】
上記構成によれば、ブランク材を折り曲げて前記紙製仕切り部材を形成することができる。紙製緩衝部を載置部の端部で折り曲げて弾性変形可能な紙製脚を簡単に形成することができる。
【００１０】
また、前記紙製脚は、蛇腹状に連結された複数の脚部を設けており、前記隣接する脚部を連結する連結部が弾性変形した状態で前記収納空間の底面に当接することを特徴とする。
【００１１】
上記構成によれば、載置部が紙製脚から受ける弾性力を大きくすることができる。また、紙製脚をコンパクトに構成することができるので、載置部を収納物のサイズに合わせた適当な広さとすることができる。
【００１２】
また、前記紙製脚は円弧状に折り曲げられて形成されていることを特徴とする。
【００１３】
上記構成によれば、紙製脚自身を弾性変形させて弾性力を発生させることができる。
【００１４】
また、前記紙製脚は前記載置部の端部に形成された複数の脚部を設けており、前記複数の脚部は先端部同士が接続されて、前記載置部と前記紙製脚とがリング状に連結されることを特徴とする。
【００１５】
上記構成によれば、収納箱の外部から力が加えられた場合に、載置部に載置された収納物は紙製脚から均一な弾性力を受けることができる。載置部が受ける紙製脚の弾性力は載置部が沈み込むにつれて大きくなるので、載置部に載置された収納物は、紙製収納箱の外部からの力に応じた弾性力を紙製脚から受けることができる。
【００１６】
また、前記紙製収納箱本体には、前記紙製仕切り部材の前記載置部を保持する保持部が設けられていることを特徴とする。
【００１７】
上記構成によれば、紙製収納箱本体に対して、載置部の位置決めを行うことができる。
【００１８】
また、前記載置部の両側部には凸部が設けられており、前記凸部が前記保持部に係合して、前記載置部が前記紙製収納箱本体に保持されることを特徴とする。
【００１９】
上記構成によれば、凸部を保持部に係合させて簡単に載置部の位置決めを行うことができる。
【００２０】
また、前記凸部は前記保持部の上端に係合しており、前記収納箱に外部から力が加わったとき、前記保持部に係合した前記凸部は、前記紙製緩衝部の弾性力に抗して前記保持部の上端から離れ、前記載置部とともにバウンド可能であることを特徴とする。
【００２１】
上記構成によれば、前記収納箱に外部から力が加わったとき、凸部が保持部に係合した安定した状態で、前記載置部をバウンドさせることができる。
【００２２】
さらに、前記紙製収納箱本体の開口部を覆う蓋を備えることを特徴とする。
【００２３】
上記構成によれば、収納箱に外部から力が加わったとき、載置部に載置された収納物が紙製収納箱本体の開口部から外部に飛び出ることを防止することができる。
【図面の簡単な説明】
【００２４】
【図１】本発明の第１の実施形態に係る紙製収納箱の斜視図である。
【図２】紙製仕切り部材の展開図である。
【図３】紙製仕切り部材の組み立て手順を示す図である。
【図４】紙製仕切り部材の組み立て手順を示す図である。
【図５】紙製仕切り部材の組み立て手順を示す図である。
【図６】紙製収納箱本体の孔部を示す斜視図である。
【図７】紙製収納箱本体に設置された紙製仕切り部材の断面図である。
【図８】本発明の第２の実施形態に係る紙製仕切り部材の斜視図である。
【図９】紙製収納箱本体に設置された紙製仕切り部材の断面図である。
【図１０】本発明の第３の実施形態に係る紙製仕切り部材の斜視図である。
【図１１】紙製収納箱本体に設置された紙製仕切り部材の断面図である。
【発明を実施するための形態】
【００２５】
以下、本発明の第１の実施例に係る紙製収納箱１を図１〜図１１に基づいて説明する。ただし、以下に示す実施例は、本発明の技術思想を具体化するための紙製収納箱を例示するものであって、紙製収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２６】
図１は本発明の第１の実施形態に係る紙製収納箱１の斜視図である。収納箱１は、収納物が収納される有底箱形の収納空間を形成した収納箱本体２と、蓋３と、紙製仕切り部材４とを備えている。図２は紙製仕切り部材４の展開図を示す。紙製仕切り部材４は、ブランク材の平板を折り曲げて一体的に形成される。紙製仕切り部材４は、収納物が載置される載置部（載置領域）５を備えており、載置部５には山形の切り込み６が一列に並んで複数個設けられている。切り込み６の両端部間は折曲線７で繋がれており、切り込み６と折曲線７とで囲まれた内部に仕切り部８が形成される。載置部５の両側部には折曲線９が形成されており、この折曲線９を介して、紙製緩衝部である紙製脚１０が折り曲げ可能に接続されている。折曲線９には載置部５の外側に向かって凸となる切り込み１１が設けられており、載置部５の一端部には、折曲線１２を介して傾斜壁１３が接続されており、傾斜壁１３には、折曲線１４を介して舌片１５が接続されている。
【００２７】
図３〜５は紙製仕切り部材４の組み立て手順を示す図である。載置部５に設けられた仕切り部８を折曲線７で斜め上方に折り曲げ、さらに傾斜壁１３が仕切り部８と平行になるように折曲線１２で折り曲げる。そして傾斜壁１３に接続された舌片１５を折曲線１４で下向きに垂直に折り曲げる。このときの状態を図４に示す。
【００２８】
図５に示すように載置部５の両側部に形成された紙製脚１０を折曲部である折曲線９で各々載置部５の下側に折り返し、載置部５の斜め内側に折り曲げる。紙製脚１０が載置部５の下側に折り返されると、切り込み１１に沿って凸部１８が形成される。
【００２９】
図６は紙製収納箱本体２の孔部２２を示す斜視図であり、図７は紙製収納箱本体２に設置された紙製仕切り部材４の断面図である。紙製仕切り部材４は、紙製脚１０が載置部５の内側に折り曲げられて弾性変形した状態で紙製収納箱本体２に設置される。紙製仕切り部材４は、紙製収納箱本体２の側壁１９と、隣接する紙製仕切り部材４間を仕切る仕切り壁２０との間に設置されており、載置部５の幅寸法Ｗは、載置部５が側壁１９または仕切り壁２０に接触せずスムーズに上下方向に動くように幅狭に形成されている。
【００３０】
紙製収納箱本体２の側壁１９と、隣接する紙製仕切り部材４間を仕切る仕切り壁２０とには、紙製仕切り部材４の凸部１８が係合する保持部である孔部２２が形成されている。孔部２２は上下方向の幅ｈが広く形成されており、凸部１８は紙製脚１０の弾性力によって孔部２２の上端２３に当接した状態で係合している。これによって、載置部５の位置決めを容易に行うことができる。孔部２２の上端２３の位置を低くすることによって紙製脚１０の弾性力を大きくすることができ、孔部２２の上端２３の位置を高くすることによって紙製脚１０の弾性力を小さくするとことができる。このように、孔部２２の上端２３の位置を適当に選定して紙製脚１０の弾性力を調整することができる。
【００３１】
載置部５には、収納物としてたとえばクッキーなどの焼き菓子が載置される。収納物は傾斜壁１３に載置され、さらに傾斜壁１３に隣接する複数箇所の仕切り部８に順番に載置される。
【００３２】
たとえば紙製収納箱本体２の底面側を突き上げる力が外部から加えられた場合には、載置部５の内側に折れ曲がっている紙製脚１０が、さらに載置部５に近付くように折れ曲がり、載置部５がバウンドする。このとき、凸部１８は孔部２２に係合した状態で、載置部５のバウンドに伴って、孔部２２の上端から離れて下方に移動した後、再び孔部２２の上端に当接する。このように、載置部５がバウンドするとき紙製脚１０は折れ曲がって弾性変形しており、紙製脚１０は、載置部５が受ける力を緩和する紙製緩衝部として働く。さらに、載置部５は幅狭に形成されており、側壁１９または仕切り壁２０に接触せずスムーズに上下方向に動くので、載置部５がバウンドするとき、載置部５自身が板ばねのように弾性変形して収納物が受ける力を緩和する紙製緩衝部として働くことができる。これによって、載置部５に載置されている収納物がクッキーなどの割れやすい焼き菓子であっても、収納箱１の外部から加わった力によって載置物が破損することを防止することができる。
【００３３】
なお、紙製仕切り部材４のブランク材の厚みを適当に選択して、紙製脚１０の弾性力を所望の大きさとすることができる。また、紙製脚１０が載置部５に接続される折曲線９の長さを適当に選定することによって、紙製脚１０の弾性力を所望の大きさとすることができる。
【００３４】
収納箱１は紙製収納箱本体２の開口部を覆う蓋３を備えるので、収納箱１に外部から力が加わったとき、載置部５に載置された収納物が紙製収納箱本体２の開口部から外部に飛び出ることを防止することができる。
【００３５】
図８は本発明の第２の実施形態に係る紙製仕切り部材２４の斜視図である。図９は紙製収納箱本体２に設置された紙製仕切り部材２４の断面図である。紙製仕切り部材２４の紙製脚１０は、載置部５に折り曲げ可能に接続された上部脚部２５と、上部脚部２５に折り曲げ可能に接続された下部脚部２６とを備えている。このように、複数の脚部である上部脚部２５と下部脚部２６とを蛇腹状に連結して、弾性変形させた状態で紙製脚１０を構成することによって、載置部５が紙製脚１０から受ける弾性力を大きくすることができる。これによって、外部から紙製収納箱本体２に力が加えられたとき、載置部５が紙製収納箱本体２の底面に底付きして、収納物が破損することを効果的に防止することができる。
【００３６】
また、上段脚部２５と、上段脚部２５に折り曲げ可能に接続された下段脚部２６とで、紙製脚１０をコンパクトに構成することができるので、紙製脚１０を設けるために載置部５を必要以上に広くすることを要しない。これによって、載置部５を収納物のサイズに合わせた適当な広さとすることができる。なお、紙製脚１０は、上部脚部２５と下部脚部２６との２つの脚部で構成されるものに限定されない。紙製脚１０は、互いに折り曲げ可能に接続された３つ以上の脚部で構成することもできる。
【００３７】
図１０は本発明の第３の実施形態に係る紙製仕切り部材３４の斜視図である。図１１は紙製収納箱本体２に設置された紙製仕切り部材３４の断面図である。紙製仕切り部材３４の紙製脚１０は、載置部５の一端部に折り曲げ可能に接続された脚部３５と、載置部５の他端部に形成された傾斜壁１３の端部に折り曲げ可能に接続された脚部３６とを備えている。脚部３５と脚部３６とは、各々載置部５の下面側に折り曲げられて、先端部同士が糊付けされて接続される。脚部３５と脚部３６とは、紙製収納箱本体２に設置された状態で、紙製収納箱本体２の底面角部に位置する部分が円弧状に折り曲げられており、収納箱１の外部から力を受けたとき、紙製脚１０は滑らかに弾性変形することができる。
【００３８】
紙製仕切り部材３４をこのような構成とすると、紙製収納箱本体２の底面側を突き上げる力が外部から加えられた場合に、載置部５に載置された収納物は載置位置に関わらず紙製脚１０から均一な弾性力を受けることができる。紙製収納箱本体２の外部から力が加えられると、載置部５が紙製収納箱本体２の底面側に沈み込むが、載置部５が受ける紙製脚１０の弾性力は載置部５が沈み込むにつれて大きくなる。これによって、載置部５に載置された収納物は、外部からの突き上げ力に応じた弾性力を紙製脚１０から受けるので、収納箱１の外部から加わった力によって載置物が破損することを効果的に防止することができる。
【００３９】
なお、本実施の形態において、載置部５の一端部に折り曲げ可能に接続された脚部３５と、傾斜壁１３の端部に折り曲げ可能に接続された脚部３６との先端部同士が糊付けされて接続されるが、これに限定されるものではない。脚部３５と脚部３６とは、先端部同士を接続しないで分離した構成とすることもできる。
【産業上の利用可能性】
【００４０】
本発明の収納箱は、クッキーなどの焼き菓子、ガラス製品、精密機器などの衝撃を受けて破損し易い収納物を収納する紙製の収納箱として好適に使用される。
【符号の説明】
【００４１】
１…収納箱
２…紙製収納箱本体
３…蓋
４,２４,３４…紙製仕切り部材
５…載置部
６…切り込み
７,９,１２,１４…折曲線
８…仕切り部
１０…紙製脚
１１…切り込み
１３…傾斜壁
１５…舌片
１８…凸部
１９…側壁
２０…仕切り壁
２２…孔部
２３…上端
２５…上部脚部
２６…下部脚部
３５,３６…脚部
【図１】
2015174668.tif 000003
【図２】
2015174668.tif 000004
【図３】
2015174668.tif 000005
【図４】
2015174668.tif 000006
【図５】
2015174668.tif 000007
【図６】
2015174668.tif 000008
【図７】
2015174668.tif 000009
【図８】
2015174668.tif 000010
【図９】
2015174668.tif 000011
【図１０】
2015174668.tif 000012
【図１１】
2015174668.tif 000013